(57)【要約】【課題】無線式の多点温度データ収集システムにおいて，データ収集用センサにサーミスタを使用し，保冷庫の温度監視を行うデータ収集ユニット（子機）の他に，開閉センサ用の無線ユニットを用いることなくかつ，有線方式を使用せずに無線方式で開閉センサの状態検知を行う。【解決手段】上記課題を解決するために本発明では，無線式の多点温度データ収集システムにおいて，複数のセンサが接続された多点データ収集ユニットの少なくとも１点以上のデータ収集用センサの代わりに，擬似的に測定データを２値化する手段を接続し，前記多点データ収集ユニットで収集する温度データとは異なる状態検知を行う。具体的には，多点データ収集ユニットのセンサにサーミスタを使用し，少なくとも，１箇所以上のデータ収集用サーミスタの代わりに２個以上の固定抵抗を直列に接続し，前記固定抵抗の１つの両端を短絡・開放する２値化手段を用いる。【選択図】　　　　図２
2004133493.tif 000002
【特許請求の範囲】
【請求項１】
無線式の多点温度データ収集システムにおいて，複数のセンサが接続された多点データ収集ユニットの少なくとも１点以上のデータ収集用センサの代わりに，擬似的に測定データを２値化する手段を接続し，前記多点データ収集ユニットで収集する温度データとは異なる状態検知を行うことを特徴とする無線式の多点温度・状態監視システム。
【請求項２】
前記無線式の多点温度データ収集システムにおいて，多点データ収集ユニットのセンサにサーミスタを使用し，少なくとも，１箇所以上のデータ収集用サーミスタの代わりに２個以上の固定抵抗を直列に接続し，前記固定抵抗の１つの両端を短絡・開放する２値化手段を用いた請求項１に記載の無線式の多点温度・状態監視システム。
【発明の詳細な説明】
【０００１】
【発明が属する技術分野】
本発明は無線式の多点温度・装置状態監視システムに係り，特に，薬品・試料等を保管する保冷庫や恒温槽等の温度・動作状態等の状態監視システムに関するものである。
【０００２】
【従来の技術】
製薬会社，食品会社等において，薬品や試料等を保冷庫や恒温槽等によって長期に保管して性能評価しているが，保冷庫や恒温槽等の温度管理のため保冷庫や恒温槽等の温度を常時監視し，保冷庫や恒温槽等の温度データの記録及び温度異常が生じた場合には保冷庫や恒温槽等の異常を通信機能によって保冷庫や恒温槽等の管理者等に連絡するシステムが構築されている。
【０００３】
従来，保冷庫や恒温槽等の監視システムは，複数の保冷庫や恒温槽等に有線式の温度センサを張り巡らして温度データを収集していた。本システムの構成は簡単であるが，有線式であるため保冷庫や恒温槽等とデータ収集管理エリアのレイアウト変更に制限があった。
【０００４】
上記の様に有線方式では保冷庫や恒温槽等とデータ収集管理エリアが別の部屋の場合のレイアウトやこれらのレイアウト変更の対応が難しい。したがって，最近は無線式のデータ収集システムが使用される様になってきた。
【０００５】
上記したように無線式の温度データ収集システムを用いると，センサが居室内に張り巡らされること無く全体がスッキリしたレイアウトを提供でき，レイアウト変更も用である。しかし，温度データ収集システムは保冷庫や恒温槽等温度データを監視するシステムであり，例えば，保冷庫や恒温槽等のドアが開放状態で放置された場合，結果的に温度変化で保冷庫や恒温槽等のドアが開放になったことが認識されるために，保冷庫や恒温槽等のドアが開いて，開放状態（温度異常）が認識されるまでにはかなり時間を要す。したがって，保冷庫や恒温槽等の温度管理を行うにはドア開閉状態をリアルタイムに監視する必要が生じてきた。
【０００６】
保冷庫のドアの開閉状態の監視を行うには一般的に，保冷庫の一部にドアの開閉センサを設置し，開閉センサの信号をデータ収集管理エリアで検知することで可能である。
【０００７】
図１は従来例の多点温度・状態監視システムの説明図である。以下保冷庫の温度監視を例にとって説明する。１（１Ａ〜１Ｅ）は薬品・試料などを保管する保冷庫を，２（２Ａ〜２Ｅ）はサーミスタを使用した無線方式のデータ収集ユニット（子機）を，３（３Ａ〜３Ｅ）はデータ収集ユニット２に接続された温度計測用のサーミスタを，４（４Ａ〜４Ｅ）は保冷庫の開閉センサを，５は無線方式のデータ収集ユニット（親機）を，６はデータ収集装置を，７（７Ａ〜７Ｅ）は保冷庫１が設置された区域を，８はデータ収集ユニット（親機）５とデータ収集装置６が設置された区域を，９は保冷庫の開閉センサ４とデータ収集装置６を有線式で接続したケーブルをそれぞれ示す。
【０００８】
図１について，概要を以下に述べる。図中７Ａ〜７Ｅのエリアに設置された保冷庫１Ａ〜１Ｅの温度監視を行うには，サーミスタ３Ａ〜３Ｅを取り付けた無線方式データ収集ユニット（子機）２Ａ〜２Ｅをそれぞれ保冷庫１Ａ〜１Ｅに取り付ける。区画８に設置されたデータ収集装置６は無線方式のデータ収集ユニット（親機）５を使用して，データ収集ユニット（子機）２Ａ〜２Ｅから保冷庫１Ａ〜１Ｅの温度データを無線方式で受信し，保冷庫内の温度をリアルタイムに計測する。測定した温度データは記録され報告書等に保存される。また，温度に異常があれば，通信手段で保冷庫管理者に報告する保冷庫の温度監視システムである。更に，保冷庫のドアの開閉状態監視のために，図に示すように，保冷庫に取り付けた開閉センサ４とデータ収集装置６をそれぞれケーブル９で接続した有線方式の監視システムで，開閉センサ４Ａ〜４Ｅの状態をリアルタイムに収集する。
【０００９】
保冷庫に設置した開閉センサの状態をデータ収集管理エリアに伝達する手段は，有線方式と無線方式で接続できるが，図１に示した温度計測用のサーミスタが接続されたデータ収集ユニット（子機）２とデータ収集ユニット（親機）５及びデータ収集装置６で構成した温度データ収集を無線方式で行い，開閉センサの状態監視を有線方式で接続する構成では，温度データ収集を無線方式で実施する意味が無くなる。したがって，図１の７Ｅで示したエリアに示すように，有線方式の代わりに無線方式のデータ収集ユニット（子機）２Ｆ及び開閉センサ４Ｅで構成した無線方式を使用することも可能であが，開閉センサの状態監視を行うために，新たに開閉センサ用の無線ユニットが必要になり，システムとしてコストアップになる。
【００１０】
【発明が解決しようとする課題】
上記したように，無線方式の多点温度データ収集システムにおいて，保冷庫の温度監視とドアの開閉状態の検知を，新規の開閉センサ用の無線ユニットを用いることなく，かつ有線方式を使用せずに保冷庫の開閉センサの状態検知を行うことを可能とする。
【００１１】
【課題を解決するための手段】
上記課題を解決するために本発明では，無線式の多点温度データ収集システムにおいて，複数のセンサが接続された多点データ収集ユニットの少なくとも１点以上のデータ収集用センサの代わりに，擬似的に測定データを２値化する手段を接続し，前記多点データ収集ユニットで収集する温度データとは異なる状態検知を行う。具体的には，多点データ収集ユニットのセンサにサーミスタを使用し，少なくとも，１箇所以上のデータ収集用サーミスタの代わりに２個以上の固定抵抗を直列に接続し，前記固定抵抗の１つの両端を短絡・開放する２値化手段を用いる。
【００１２】
【発明の実施の形態】
本発明の一実施例を示す無線式の多点温度・状態監視システムを図２に示す。システム構成の概要は図１とほぼ同様であり，図中同一の番号を付したものは同一の機能を有している。図１で説明した様に，１（１Ａ〜１Ｅ）は薬品・試料などを保管する保冷庫を，２（２Ａ〜２Ｅ）はサーミスタを使用したデータ収集ユニット（子機）を，３（３Ａ〜３Ｅ）はデータ収集ユニット２に接続された温度計測用のサーミスタを，４（４Ａ〜４Ｅ）は保冷庫の開閉センサを，５はデータ収集ユニット（親機）を，６はデータ収集装置を，７（７Ａ〜７Ｅ）は保冷庫１が設置された区域を，８はデータ収集ユニット（親機）５とデータ収集装置６が設置された区域をそれぞれ示す。
【００１３】
図２について，概要を以下に述べる。図中７Ａ〜７Ｅのエリアに設置された保冷庫１Ａ〜１Ｅの温度監視を行うには，サーミスタ３Ａ〜３Ｅをそれぞれ保冷庫１Ａ〜１Ｅ内に取り付ける。区画８に設置されたデータ収集装置６はデータ収集ユニット（親機）５を使用して，データ収集ユニット（子機）３Ａ〜３Ｅから保冷庫１Ａ〜１Ｅの温度データを無線方式で受信し，保冷庫内の温度をリアルタイムに計測する。測定した温度データは報告書等に記録され，温度に異常があれば，保冷庫管理者に報告する。
【００１４】
図３はサーミスタ形のデータ収集ユニット（子機）を用い，保冷庫のドア開閉状態を監視する２値化手段の一実施例である。図３（Ａ）はデータ収集ユニット（子機）２にサーミスタを接続した一例を示しており，本例では２本のサーミスタ１０，１１が接続されている。この状態では２箇所の温度データが収集できる。したがって，図２に示したように一台の保冷庫に１個の温度データを測定する場合は，もう一方のサーミスタは使用されてないこととなる。図３（Ｂ）は上記した２本のサーミスタ１０及び１１のうち，例えばサーミスタ１１の代わりに，１２で示した２値化回路を接続した一例を示している。２値化回路１２は抵抗器Ａ１３と抵抗器Ｂ１４が直列に接続され，抵抗器Ｂ１４の両端に開閉スイッチ１５が接続されている。開閉スイッチ１５が開状態の時は，２値化回路１２の合成抵抗値は抵抗器Ａ１３と抵抗器Ｂ１４の合成値となり，開閉スイッチ１５が閉状態の時は，２値化回路１２の合成抵抗値は抵抗器Ａ１３となる。したがって，データ収集ユニット（子機）２はサーミスタ１１の代わりに「抵抗器Ａ１３と抵抗器Ｂ１４の合成値」と「抵抗器Ａ１３」の２値化されたデータを認識することで，開閉スイッチ１５の状態を認識することができる。
【００１５】
図４はデータ収集ユニット（子機）２に接続されたサーミスタの代わりに接続された２値化回路１２の動作説明図である。図中，横軸は抵抗値を，縦軸は抵抗値に対応したサーミスタ温度特性の状態をそれぞれ示している。サーミスタ温度計は電気抵抗が温度により変化することを利用したものであり，抵抗値がＲ１で示した抵抗器Ａ（状態１）の場合は，図３に示す開閉スイッチ１５が閉状態を表し，抵抗値がＲ２で示した抵抗器Ａ＋抵抗器Ｂ（状態２）の場合は，図３に示す開閉スイッチ１５が開状態を表している。状態１はサーミスタ温度計で換算すると＋４０℃に相当し，状態２はサーミスタ温度計で換算すると−１５℃に相当する。このように従来温度測定用としてのデータ収集ユニット（子機）２を温度測定以外のデータ収集が可能となる。抵抗器が１個の場合は開閉スイッチ１５が閉状態の時，抵抗を短絡した状態になるため合成抵抗値は零Ωとなり通常の温度計測器は計測範囲を外れるが，温度計測器の測定範囲が零Ωをカバーしているものでは，抵抗器を１個用いる方法でも同様な効果を得ることが出来る。
【００１６】
図２の７Ａ〜７Ｅに示したように，データ収集ユニット（子機）２Ａの一方にサーミスタ３Ａを接続し，もう一方には開閉センサ４Ａ（２値化回路を内臓）に接続することで，保冷庫の温度監視とドアの開閉状態の監視を行うことが可能となる。
【発明の効果】
以上説明したように，本発明によると保冷庫の温度監視とドアの開閉状態の監視において，保冷庫の温度監視を行うデータ収集ユニット（子機）の未使用のセンサ接続端子に，開閉センサを検知可能な２値化手段を設けるだけで，開閉センサ用の無線ユニットを新たに増設する必要も無く，有線方式の開閉センサシステムを使用せずに，無線方式の温度監視データ収集ユニット（子機）を共用することが可能となり，システムのコストアップを押さえることができる。
【図面の簡単な説明】
【図１】従来例の多点温度・状態監視システムの説明図である。
【図２】本発明の一実施例を示す無線式の多点温度・状態監視システムの説明図である。
【図３】データ収集ユニット２値化手段の一実施例である。
【図４】図３に記載の２値化回路の動作説明図である。
【符号の説明】
１・・・薬品・試料などを保管する保冷庫
２・・・サーミスタを使用したデータ収集ユニット（子機）
３・・・データ収集ユニット２に接続されたサーミスタ
４・・・保冷庫の開閉センサ
５・・・データ収集ユニット（親機）
６・・・データ収集装置
７・・・保冷庫が設置された区域
８・・・データ収集ユニット（親機）
９・・・開閉センサ接続用ケーブル
１０，１１・・・サーミスタ
１２・・・２値化回路
１３，１４・・・抵抗器
１５・・・開閉スイッチ
【図１】
2004133493.tif 000003
【図２】
2004133493.tif 000004
【図３】
2004133493.tif 000005
【図４】
2004133493.tif 000006